(57)【要約】【課題】電子機器において、ユーザが意図しないボタン押下入力をなるべく防止する。【解決手段】電子機器１０１は、筐体部品１と、押されていないときの第１位置と押されたときの第２位置との間で可逆的に変位可能なように保持されているボタン部２０と、押圧されているか否かを検出するスイッチ３とを備え、ボタン部２０は、ボタン部本体４と、ボタン部本体４から突出し、ボタン部２０が前記第１位置にあるときにはスイッチ３を押圧せずボタン部２０が前記第２位置にあるときにはスイッチ３を押圧する押し子５と、ボタン部本体４から押し子５とは別の場所において押し子５と同じ側に突出する１以上の突起６とを備え、突起６は、筐体部品１に対向しており、ボタン部２０が前記第１位置から前記第２位置に移行する際には、押し子５がスイッチ３を押圧する前に、突起６は筐体部品１に押圧されて弾性変形する。【選択図】図３
2016184523.tif 000002
【特許請求の範囲】
【請求項１】
筐体部品と、
外部から押されていないときの第１位置と外部から押されたときの第２位置との間で可逆的に変位可能なように、前記筐体部品によって保持されているボタン部と、
前記筐体部品に保持されていて、押圧されているか否かを検出するスイッチとを備え、
前記ボタン部は、ボタン部本体と、前記ボタン部本体から前記スイッチに向かって突出し、前記ボタン部が前記第１位置にあるときには前記スイッチを押圧せず前記ボタン部が前記第２位置にあるときには前記スイッチを押圧する押し子と、
前記ボタン部本体から前記押し子とは別の場所において前記押し子と同じ側に突出する１以上の突起とを備え、
前記突起は、前記筐体部品に対向しており、
前記ボタン部が前記第１位置から前記第２位置に移行する際には、前記押し子が前記スイッチを押圧する前に、前記突起は前記筐体部品に押圧されて弾性変形する、電子機器。
【請求項２】
前記ボタン部は、第１材料からなる部分と前記第１材料より軟らかい第２材料からなる部分とを含んでおり、前記突起は前記第２材料によって形成されている、請求項１に記載の電子機器。
【請求項３】
前記第１材料および前記第２材料はいずれも樹脂であり、前記ボタン部は前記第１材料と前記第２材料との二色成形によって形成されている、請求項２に記載の電子機器。
【請求項４】
前記筐体部品は、前記押し子を収容する袋状の防水パッキンを保持しており、前記押し子は前記防水パッキンを介して前記スイッチを押圧する、請求項１から３のいずれかに記載の電子機器。
【発明の詳細な説明】
【技術分野】
【０００１】
本開示は、電子機器に関するものである。
【背景技術】
【０００２】
本体の側部に操作のためのボタンが配置されている電子機器の一例が、特開２０１４−１２０２０３号公報（特許文献１）に記載されている。
【先行技術文献】
【特許文献】
【０００３】
【特許文献１】特開２０１４−１２０２０３号公報
【発明の概要】
【発明が解決しようとする課題】
【０００４】
一般的に、ボタンは裏側に押し子と呼ばれる突出部を有している。ボタンの奥にはスイッチが配置されている。ユーザがボタンを押したときには押し子がスイッチを押すことによって、所望する指示が当該電子機器に電気的に入力される。
【０００５】
ボタンは可動部品によって形成される。ユーザが電子機器を持ち歩く際に、何らかの物がボタンに当接するなどにより、ユーザが本来意図していないボタン押下が入力されてしまう場合がある。
【０００６】
この問題を回避するために、ボタンの奥に配置されるスイッチとして、オンにするための必要荷重が大きくなっている堅固なスイッチを用いることも考えられるが、電子機器に使用する部品種類をなるべく減らしたいという要請の観点からは、一部のスイッチのみを特殊な仕様とすることは好ましくない。また、大きな荷重が必要とされるスイッチは、高価な傾向があるので、そのようなスイッチを採用することは好ましくない。
【０００７】
そこで、本開示は、ユーザが意図しないボタン押下入力をなるべく防止できる電子機器を提供することを目的とする。
【課題を解決するための手段】
【０００８】
上記目的を達成するため、本開示に基づく電子機器は、筐体部品と、外部から押されていないときの第１位置と外部から押されたときの第２位置との間で可逆的に変位可能なように、上記筐体部品によって保持されているボタン部と、上記筐体部品に保持されていて、押圧されているか否かを検出するスイッチとを備え、上記ボタン部は、ボタン部本体と、上記ボタン部本体から上記スイッチに向かって突出し、上記ボタン部が上記第１位置にあるときには上記スイッチを押圧せず上記ボタン部が上記第２位置にあるときには上記スイッチを押圧する押し子と、上記ボタン部本体から上記押し子とは別の場所において上記押し子と同じ側に突出する１以上の突起とを備え、上記突起は、上記筐体部品に対向しており、上記ボタン部が上記第１位置から上記第２位置に移行する際には、上記押し子が上記スイッチを押圧する前に、上記突起は上記筐体部品に押圧されて弾性変形する。
【発明の効果】
【０００９】
本開示によれば、ボタンを押してスイッチを反応させるためには、突起を弾性変形させる程度の大きな力を加える必要があり、結果的に大きな荷重が必要となるので、本開示に基づく電子機器は、ユーザが意図しないボタン押下入力をなるべく防止できる電子機器とすることができる。
【図面の簡単な説明】
【００１０】
【図１】本開示に基づく実施の形態１における電子機器の斜視図である。
【図２】本開示に基づく実施の形態１における電子機器の側面図である。
【図３】図２におけるＩＩＩ−ＩＩＩ線に関する部分的な矢視断面図である。
【図４】本開示に基づく実施の形態１における電子機器に備わるスイッチなどの斜視図である。
【図５】本開示に基づく実施の形態１における電子機器に備わるボタン部の斜視図である。
【図６】本開示に基づく実施の形態１における電子機器に備わるボタン部の第１の側面図である。
【図７】本開示に基づく実施の形態１における電子機器に備わるボタン部の第２の側面図である。
【図８】本開示に基づく実施の形態１における電子機器に備わるボタン部の下面図である。
【図９】図３においてボタン部が押され始めた状態の断面図である。
【図１０】図９に示した状態からさらに押下が進行した状態の断面図である。
【図１１】図１０に示した状態からさらに押下が進行した状態の断面図である。
【図１２】本開示に基づく実施の形態２における電子機器に備わるボタン部の側面図である。
【図１３】本開示に基づく実施の形態２における電子機器に備わるボタン部の下面図である。
【図１４】図１２におけるＸＩＶ−ＸＩＶ線に関する矢視断面図である。
【図１５】本開示に基づく実施の形態２における電子機器に備わるボタン部の断面図である。
【図１６】本開示に基づく実施の形態２における電子機器の部分断面図である。
【図１７】図１６においてボタン部を押した後の状態の断面図である。
【図１８】ボタン部本体の裏側における各構成要素の位置関係の第１の例の平面図である。
【図１９】ボタン部本体の裏側における各構成要素の位置関係の第２の例の平面図である。
【図２０】ボタン部本体の裏側における各構成要素の位置関係の第３の例の平面図である。
【図２１】ボタン部本体の裏側における各構成要素の位置関係の第４の例の平面図である。
【図２２】ボタン部本体の裏側における各構成要素の位置関係の第５の例の平面図である。
【図２３】ボタン部本体の裏側における各構成要素の位置関係の第６の例の平面図である。
【図２４】ボタン部本体の裏側における各構成要素の位置関係の第７の例の平面図である。
【図２５】図２４に示したボタン部の側面図である。
【発明を実施するための形態】
【００１１】
（実施の形態１）
（構成）
図１〜図８を参照して、本開示に基づく実施の形態１における電子機器について説明する。本実施の形態における電子機器１０１の外観を模式的に図１に示す。電子機器１０１は、ボタン部２０を備える。電子機器１０１を、ボタン部２０が配置されている側の面から見たところを図２に示す。図２におけるＩＩＩ−ＩＩＩ線に関する部分的な矢視断面図を図３に示す。
【００１２】
ここでは、電子機器１０１は板状のものとして示し、ボタン部２０は電子機器１０１の側面に配置されているが、これはあくまで一例であり、電子機器１０１の外観形状はここに示すものに限らない。電子機器１０１は、板状のものとは限らない。電子機器１０１においてボタン部２０が配置される位置は、側面とは限らない。電子機器１０１に備わるボタン部の数は１個とは限らず、２個以上であってもよい。
【００１３】
図３では、ユーザがボタン部２０を押していない状態を示している。図３に示されているスイッチ３などを取り出したときの斜視図を図４に示す。スイッチ３はフレキシブル基板８の表面に設置されている。スイッチ３はドーム状の凸部を含んでおり、この凸部がフレキシブル基板８の厚み方向に押し下げられることによって、オンとなる。押圧されていないときには、スイッチ３はオフ状態となっている。オンとオフの組合せは逆であってもよい。また、スイッチ３の構造としてここで説明したのはあくまで一例であり、これ以外の構造によってスイッチ３が構成されていてもよい。ただし、スイッチ３は、何らかの部材によって押し下げられることによって状態が切り替わるものとする。
【００１４】
電子機器１０１のユーザにとっては、ボタン部２０のうちボタン部本体４の一部のみが見えているのであって、ユーザがボタン部２０を押す場合は、矢印９１のようにボタン部２０への押圧力を加えると考えられる。図３には、ボタン部本体４の中心線８１も示されている。
【００１５】
本実施の形態における電子機器１０１は、筐体部品１と、外部から押されていないときの第１位置と外部から押されたときの第２位置との間で可逆的に変位可能なように、筐体部品１によって保持されているボタン部２０と、筐体部品１に保持されていて、押圧されているか否かを検出するスイッチ３とを備える。ボタン部２０は、ボタン部本体４と、ボタン部本体４からスイッチ３に向かって突出し、ボタン部２０が前記第１位置にあるときにはスイッチ３を押圧せずボタン部２０が前記第２位置にあるときにはスイッチ３を押圧する押し子５と、ボタン部本体４から押し子５とは別の場所において押し子５と同じ側に突出する１以上の突起６とを備える。突起６は、筐体部品１に対向している。ボタン部２０が前記第１位置から前記第２位置に移行する際には、押し子５がスイッチ３を押圧する前に、突起６は筐体部品１に押圧されて弾性変形する。
【００１６】
図３においてボタン部２０が存在している筐体部品１に対する相対的な位置を「第１位置」と把握することができる。図３に示した例では、押し子５はスイッチ３に当接しておらず、なおかつ、突起６は筐体部品１の面７に当接していない。ただし、これはあくまで一例であって、ユーザがボタンを押していない状態、すなわち、ボタン部２０が第１位置にある状態であっても、突起６は筐体部品１の面７に既に当接していてもよい。
【００１７】
なお、ここでは説明の便宜のため、筐体部品１は、１個の部品であるものとして説明しているが、実際には、筐体部品１は複数の部品の組合せであってもよい。また、筐体部品１はこれ単独で電子機器の筐体の全体を構成するものであってもよいが、電子機器の筐体の一部分のみを構成するものであってもよい。ここでは、突起６が筐体部品１に対向すること、および、突起６が筐体部品１に押圧されて弾性変形することに言及したが、筐体部品１は上述したように複数の部品の組合せであってもよいので、たとえば、ボタン部２０を保持する部品Ａと、突起６が対向する相手方となる部品Ｂとは一体物とは限らず、別体の部品であってもよい。この場合、部品Ａと部品Ｂとの両方が筐体部品１に含まれると解釈される。部品Ａと部品Ｂとを含む筐体部品１の全体に注目すれば、筐体部品１がボタン部２０を保持しているといえ、なおかつ、１以上の突起６が筐体部品１に対向するということができる。この場合、ボタン部２０が前記第１位置から前記第２位置に移行する際には、押し子５がスイッチ３を押圧する前に、突起６は筐体部品１の一部である部品Ｂに押圧されて弾性変形するということになる。
【００１８】
ボタン部２０を単独で取り出したところを図５〜図８に示す。ボタン部２０の斜視図を図５に示し、側面図を図６に示す。ボタン部２０を図６とは９０°異なる向きから見たところを図７に示す。ボタン部２０を図６における下方から見たところを図８に示す。ボタン部２０は、ボタン部本体４の外縁を取り囲むように張出し部９を備える。図８にはボタン部本体４の中心線８１も示されている。
【００１９】
（動作）
ボタン部２０がまだ押されていない状態では、既に図３に示したとおりである。この状態からユーザによるボタン押下が開始されてから押下を終えるまでの各部の挙動について、順を追って説明する。
【００２０】
図３においてボタン部２０が矢印９１の向きに押され始めた状態を図９に示す。図３に示したように元々突起６が筐体部品１の面７に当接していなかったとしても、図９に示した時点では、突起６が筐体部品１の面７に当接し始める。押し子５はスイッチ３に接近しているがまだ当接はしていない。ユーザがボタンを押していない状態、すなわち、ボタン部２０が第１位置にある状態で既に突起６が面７にしているような場合には、図９に示した状態からスタートするものと考えればよい。
【００２１】
図９に示した例では、押し子５はスイッチ３に全く接触していないが、これはあくまで一例である。押し子５がスイッチ３に触れていたとしてもスイッチ３をオンにするほどに押し込まない状態であればよい。
【００２２】
図９に示した状態から、ボタン部２０の矢印９１の向きの押下がさらに進行した状態を図１０に示す。図１０に示した例では、突起６が面７に押し付けられて圧縮変形を開始している。押し子５はスイッチ３に当接開始している。押し子５はスイッチ３に触れているが、スイッチ３はまだオン状態とはなっていない。
【００２３】
図１０に示した状態から、ボタン部２０の矢印９１の向きの押下がさらに進行した状態を図１１に示す。図１１に示した例では、突起６が面７に押し付けられてさらに大きく圧縮変形している。押し子５はスイッチ３を完全に押下しており、スイッチ３はオン状態となっている。
【００２４】
（作用・効果）
本実施の形態では、ボタンが押されることによってボタン部２０が前記第１位置から前記第２位置に移行する際には、押し子５がスイッチ３を押圧する前に、突起６は筐体部品１に押圧されて弾性変形する構成となっているので、スイッチ３をオンにするまでには突起６をある程度弾性変形させる必要がある。言い換えれば、スイッチ３をオンにするためには突起６を弾性変形させる程度の大きな力を加える必要がある。したがって、スイッチ３自体は従来どおりのものであっても、全体としてボタン押下操作には大きな荷重が必要となるので、本実施の形態における電子機器は、ユーザが意図しないボタン押下入力をなるべく防止できる電子機器とすることができる。
【００２５】
スイッチ３は従来どおりに小さな荷重でオンになるような構造のものを引き続き採用していてかまわない。
【００２６】
本実施の形態では、ボタン部２０が張出し部９を備える例を示したが、張出し部９はあってもなくてもよい。張出し部９を設けておくことにより、ボタン部２０が脱落することを防止することができる。また、ボタン部２０の外周の隙間から異物が侵入することを防止することができる。
【００２７】
（実施の形態２）
（構成）
図１２〜図１７を参照して、本開示に基づく実施の形態２における電子機器について説明する。本実施の形態における電子機器においては、基本的な構成は実施の形態１で説明したものと同様であるが、以下の点で異なる。
【００２８】
本実施の形態における電子機器は、外観は図１および図２に示したものと同様であるが、ボタン部の構造が異なる。本実施の形態における電子機器は、図１２〜図１５に示すようなボタン部２１を備える。
【００２９】
ボタン部２１の側面図を図１２に示す。ボタン部２１を裏側から見たところを図１３に示す。ボタン部２１の裏面には押し子５および突起６が突出するように設けられている。ボタン部２１の裏面のうち押し子５および突起６とは別の場所においては、複数の凹部１０が設けられている。ただし、このような凹部１０を設けることは必須ではない。図１２におけるＸＩＶ−ＸＩＶ線に関する矢視断面図を図１４に示す。ボタン部２１の断面図を図１５に示す。
【００３０】
本実施の形態における電子機器に備わるボタン部２１は、第１材料からなる部分２ａと第１材料より軟らかい第２材料からなる部分２ｂとを含んでいる。突起６は第２材料によって形成されている。
【００３１】
図１５に示すように、ボタン部２１においては、ボタン部本体の側面は主に第１材料からなる部分２ａに属する。ユーザが押す際に触れるオモテ側の中央部分は第２材料からなる部分２ｂに属する。
【００３２】
本実施の形態における電子機器１０２の部分断面図を図１６に示す。筐体部品１によってボタン部２１が保持されている。図１６では、ユーザがボタンを押していない状態、すなわち、ボタン部２１が第１位置にある状態を示している。ユーザは矢印９１の向きにボタンを押す。
【００３３】
ユーザがボタンを押した状態を図１７に示す。図１７では、ボタン部２１が第２位置にある状態を示している。この状態では、スイッチ３の押下は完了しており、スイッチ３はオンとなっている。
【００３４】
（作用・効果）
本実施の形態においても、実施の形態１と同様の効果を得ることができる。
【００３５】
本実施の形態では、軟らかさの異なる２種類の材料からなる部分を含むようにしてボタン部２１が構成されているので、強度が必要な部分は硬い材料で形成しつつ、軟らかい方が好ましい部分は軟らかい材料で形成することができる。特に本実施の形態では、突起６は２種類のうち軟らかい方の材料である第２材料によって形成されているので、突起６が面７に当たった際に面７を傷つけることを防止することができる。また、突起６は面７に当たった際に円滑に弾性変形することができる。
【００３６】
特に、突起６は面７に当たった際に円滑に弾性変形することを主眼において材料を選択した場合には、ボタン部２１全体を単独で形成するには軟らかすぎる材料が選択されることも考えられるが、軟らかさの異なる２種類の材料でボタン部を作製してよいということになれば、設計の自由度が高まり、ボタン部の姿を維持するための強度は第１材料に担わせることとし、突起６を含む部分を形成するための第２材料としては所望の軟らかさの材料を採用することができる。
【００３７】
本実施の形態におけるボタン部２１も、張出し部９を備えるが、張出し部９は、第１材料からなる部分２ａに属する部分と、第２材料からなる部分２ｂに属する部分との両方を含んでいる。もっとも張出し部９自体はあってもなくてもよい。図１３に示すように、この例では、部分２ｂが外縁に達している箇所が５ヶ所ある。これらの５ヶ所のうち４ヶ所においては、突起１４が設けられている。突起１４は部分２ｂに属する。これらの構成はあくまで一例として示したものである。
【００３８】
本実施の形態では、第１材料および第２材料はいずれも樹脂であり、ボタン部２１は第１材料と第２材料との二色成形によって形成されていることが好ましい。第１材料は、たとえばＰＣ（ポリカーボネート）であってもよい。第２材料は、たとえばＴＰＵ（熱可塑性ポリウレタン）であってもよい。第１材料および第２材料がいずれも樹脂であることにより、ボタン部２１を軽量なものとすることができる。また、ボタン部２１を容易に作製することができる。樹脂同士の組合せであることにより、ボタン部２１の二色成形も可能となる。実際に、ボタン部２１が第１材料と第２材料との二色成形によって形成されていれば、これら２種類の材料が堅固に組み合わさって一体化した構成を容易に得ることができる。
【００３９】
なお、本実施の形態で示したように、筐体部品１は、押し子５を収容する袋状の防水パッキン１１を保持しており、押し子５は防水パッキン１１を介してスイッチ３を押圧する構成となっていることが好ましい。
【００４０】
本実施の形態で示した例では、防水パッキン１１の内部には補強部材１２が配置されている。補強部材１２は金属からなる。防水パッキン１１が形状を維持するためには、補強部材１２が配置されていることが好ましいが、補強部材１２の存在自体は必須ではない。
【００４１】
本実施の形態で示した例では、ボタン部２１の押し子５は防水パッキン１１を介してスイッチ３を押圧することとなっており、スイッチ３周辺への水などの進入は防水パッキン１１によって防がれる構造となっている。これにより、スイッチ３が濡れることを防止できるので、防水性能を高めたボタン構造とすることができる。
【００４２】
ボタンが押されることによってボタン部２１が第１位置から第２位置へと移動したときには防水パッキン１１は適宜変形してボタン部２１の動きに追従する。図１７に示した例では、防水パッキン１１のうち押し子５の先端を覆っている部分は、押し子５とスイッチ３とに挟まれることによって圧縮変形し、薄くなっている。防水パッキン１１は弾性体を主材料として形成されているので、このように変形してもボタンの押下が終わった後には元の形状に戻ることができる。
【００４３】
（ボタン部本体の裏側における各構成要素の位置関係について）
実施の形態１で既に述べたように、ボタン部には、押し子５と１以上の突起６とが設けられている。押し子５と１以上の突起６とはいずれもボタン部の裏面に設けられており、筐体部品１に対向するように配置されている。
【００４４】
これまで１つのボタン部は１つの独立した部材であって１つの押圧対象領域のみを有することを前提に説明してきたが、複数のボタン部がつながって一体的な部材となっていることもありうる。いわゆる十字キーもその一例である。円形、正方形などの部材において上下左右の各部を押すごとに異なる操作として受け付けられるようなボタン構造もこれに該当する。１本の長手形状の部材の一方の端と他方の端とで異なる役割が与えられている場合もこれに該当する。これらの場合、１つの部材の中の押圧対象領域ごとに別箇のボタン部とみなすべきである。いずれの場合であっても、１つのボタン部は１つのボタン部本体を含む。
【００４５】
図１８〜図２４では、ボタン部本体を裏側から平面視したところを示しており、それぞれボタン部本体の中心１３も示している。上述したように、ユーザがボタン部を押す際には、通常、ボタン部本体の中心１３を中心に押圧力が加えられる。
【００４６】
ボタン部本体は、図５などに示したような長手形状のものとは限らず、たとえば図１８に示すような正方形であってもよい。図１８に示した正方形のボタン部本体４ｅにおいては、押し子５と突起６とが設けられており、押し子５と突起６とは、ボタン部本体４の中心１３を挟むように配置されている。ここでは、突起６が１つだけある構成となっていたが、突起６が２つある場合には、たとえば図１９に示すような配置も考えられる。押し子５と２つの突起６ａ，６ｂとは、ボタン部本体４の中心１３を取り囲むように配置されている。このように、押し子５と２つの突起６ａ，６ｂとが三角形をなすように配置されることが好ましい。
【００４７】
次に、１つの部材の中に複数のボタン部が設定されている例について説明する。ここでは、長手形状のひとつながりの部材のうちのある１つの端部が１つのボタン部となっている。図２０〜図２２では、当該端部のみを示している。この端部は１つのボタン部本体４ｆに相当する。図２０に示した例では、ボタン部本体４ｆの裏面において押し子５と突起６とがボタン部の幅方向に並ぶように配置されている。この例においては、押し子５と突起６とは、ボタン部本体４ｆの中心１３を挟むように配置されている。
【００４８】
他の例を図２１に示す。図２１に示した例では、ボタン部本体４ｆの裏面において押し子５と突起６とがボタン部の長手方向に並ぶように配置されている。この例においても、押し子５と突起６とは、ボタン部本体４ｆの中心１３を挟むように配置されている。
【００４９】
さらに他の例を図２２に示す。図２２に示した例では、ボタン部本体４ｆの裏面において押し子５と突起６とがボタン部の長手方向に斜めに交差する直線上に沿って並ぶように配置されている。この例においても、押し子５と突起６とは、ボタン部本体４ｆの中心１３を挟むように配置されている。
【００５０】
図１８〜図２２に示したようなそれぞれの例においても、これまでの各実施の形態で説明したような効果を得ることができる。
【００５１】
ここまで、押し子５の中心とボタン部本体の中心１３とが異なる位置にある例をいくつか示してきたが、押し子５の中心とボタン部本体の中心１３とは重なっていてもよい。たとえば図２３に示すような位置関係であってもよい。この例では、正方形のボタン部本体４ｅの中央に押し子５があり、押し子５の中心とボタン部本体の中心１３とは重なっている。押し子５の一方の脇に突起６が配置されている。
【００５２】
他の例を図２４に示す。図２４に示したボタン部２２の側面図を図２５に示す。図２５では、参考のために中心線８１を示している。図２４および図２５で示した例では、正方形のボタン部本体４ｅの中央に押し子５があり、押し子５の中心とボタン部本体の中心１３とは重なっている。さらに、押し子５を挟むように２つの突起６ａ，６ｂが配置されている。このような配置であってもよい。
【００５３】
図２３〜図２５に示したようなそれぞれの例においても、これまでの各実施の形態で説明したような効果を得ることができる。
【００５４】
なお、上記実施の形態のうち複数を適宜組み合わせて採用してもよい。
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００５５】
１  筐体部品、２ａ，２ｂ  部分、３  スイッチ、４，４ｅ，４ｆ  ボタン部本体、５  押し子、６，６ａ，６ｂ  突起、７  面、８  フレキシブル基板、９  張出し部、１０  凹部、１１  防水パッキン、１２  補強部材、１３  （押圧の中心となる）点、１４  （側方への）突起、２０，２１，２２  ボタン部、８１  中心線、９１  矢印、１０１，１０２  電子機器。
【図１】
2016184523.tif 000003
【図２】
2016184523.tif 000004
【図３】
2016184523.tif 000005
【図４】
2016184523.tif 000006
【図５】
2016184523.tif 000007
【図６】
2016184523.tif 000008
【図７】
2016184523.tif 000009
【図８】
2016184523.tif 000010
【図９】
2016184523.tif 000011
【図１０】
2016184523.tif 000012
【図１１】
2016184523.tif 000013
【図１２】
2016184523.tif 000014
【図１３】
2016184523.tif 000015
【図１４】
2016184523.tif 000016
【図１５】
2016184523.tif 000017
【図１６】
2016184523.tif 000018
【図１７】
2016184523.tif 000019
【図１８】
2016184523.tif 000020
【図１９】
2016184523.tif 000021
【図２０】
2016184523.tif 000022
【図２１】
2016184523.tif 000023
【図２２】
2016184523.tif 000024
【図２３】
2016184523.tif 000025
【図２４】
2016184523.tif 000026
【図２５】
2016184523.tif 000027